(57)【要約】【課題】温度条件に応じたオイルレベルの点検を容易に行うことができるようにする。【解決手段】オイル貯留部内のオイルに浸漬されると共に、オイルの液面高さを測定するための目盛Ｃ，Ｈが設けられたレベルゲージ部１１と、可撓性部材で形成されると共にレベルゲージ部１１の基端に接続されたロッド部１２と、ロッド部１２の基端に設けられて、ガイド管の上側開口部を塞ぐキャップ部１３と、キャップ部１３の上端に接続された把持部１４とを備え、レベルゲージ部１１のオイルに浸漬される部分に熱変色塗料１６を塗布した。【選択図】図１
2017090221.tif 000002
【特許請求の範囲】
【請求項１】
オイル貯留部に向けて延設されたガイド管に差し込まれて、前記オイル貯留部内に貯留されたオイルの液面高さを測定可能なオイルレベルゲージであって、
前記オイル貯留部内のオイルに浸漬されると共に、オイルの液面高さを測定するための目盛が設けられたレベルゲージ部と、
可撓性部材で形成されると共に前記レベルゲージ部の基端に接続されて、前記ガイド管に挿入されるロッド部と、
前記ロッド部の基端に設けられて、前記ガイド管の上側開口部を塞ぐキャップ部と、
前記キャップ部の上端に接続された把持部と、を備え、
前記レベルゲージ部のオイルに浸漬される部分に熱変色塗料を塗布した
ことを特徴とするオイルレベルゲージ。
【請求項２】
前記熱変色塗料が、前記オイルの高温時に当該オイルとは異なる色に変色する
請求項１に記載のオイルレベルゲージ。
【請求項３】
前記レベルゲージ部の前記目盛よりも先端側に所定の角度で捩じられた捩じり部が設けられると共に、当該捩じり部に前記熱変色塗料が塗布された
請求項１又は２に記載のオイルレベルゲージ。
【請求項４】
前記レベルゲージ部に、前記目盛として少なくとも低油温用の第１目盛と、高油温用の第２目盛とが設けられた
請求項１から３の何れか一項に記載のオイルレベルゲージ。
【発明の詳細な説明】
【技術分野】
【０００１】
本発明は、オイルレベルゲージに関する。
【背景技術】
【０００２】
一般的に、エンジンやトランスミッションのオイルパン内には、ガイド管を通じてオイルレベルゲージが差し込まれており、このオイルレベルゲージを引き抜いて付着したオイルを目視することで、オイルパン内の油面レベルを点検できるようになっている。
【０００３】
一般的なオイルレベルゲージは、帯板状に形成されてオイルパン内のオイルに浸漬されるレベルゲージ部と、レベルゲージ部の基端に接続された可撓性のロッド部と、ロッド部の基端に設けられてガイド管の上側開口部を塞ぐキャップ部と、キャップ部の上端に設けられた把持部とを備えて構成されている。
【０００４】
この種のオイルレベルゲージとして、例えば、特許文献１には、所定の高油温時に白色から赤色に変色する短冊形状の複数のサーモセンサをレベルゲージ部に等間隔に配置することで、温度条件に応じたオイルレベルの確認を行えるようにした技術が開示されている。
【先行技術文献】
【特許文献】
【０００５】
【特許文献１】実開平０３−１２０３６６号公報
【発明の概要】
【発明が解決しようとする課題】
【０００６】
ところで、エンジンオイルやミッションオイルは一般的に赤色に近い茶褐色系のため、上記特許文献１記載の技術では、サーモセンサが赤色に変色した場合にオイルレベルを識別しづらくなる可能性がある。このような場合は、レベルゲージ部に付着したオイルを拭き取るか、或はオイルを振るい落としてサーモセンサの変色を確認することも考えられるが、点検作業が煩わしくなる課題もある。
【０００７】
開示の技術は、温度条件に応じたオイルレベルの点検を容易に行うことができるオイルレベルゲージを提供することを目的とする。
【課題を解決するための手段】
【０００８】
開示の技術は、オイル貯留部に向けて延設されたガイド管に差し込まれて、前記オイル貯留部内に貯留されたオイルの液面高さを測定可能なオイルレベルゲージであって、前記オイル貯留部内のオイルに浸漬されると共に、オイルの液面高さを測定するための目盛が設けられたレベルゲージ部と、可撓性部材で形成されると共に前記レベルゲージ部の基端に接続されて、前記ガイド管に挿入されるロッド部と、前記ロッド部の基端に設けられて、前記ガイド管の上側開口部を塞ぐキャップ部と、前記キャップ部の上端に接続された把持部と、を備え、前記レベルゲージ部のオイルに浸漬される部分に熱変色塗料を塗布したことを特徴とする。
【０００９】
前記熱変色塗料が、前記オイルの高温時に当該オイルとは異なる色に変色することが好ましい。
【００１０】
前記レベルゲージ部の前記目盛よりも先端側に所定の角度で捩じられた捩じり部が設けられると共に、当該捩じり部に前記熱変色塗料が塗布されてもよい。
【００１１】
前記レベルゲージ部に、前記目盛として少なくとも低油温用の第１目盛と、高油温用の第２目盛とが設けられてもよい。
【発明の効果】
【００１２】
開示の技術によれば、温度条件に応じたオイルレベルの点検を容易に行うことができる。
【図面の簡単な説明】
【００１３】
【図１】本発明の一実施形態に係るオイルレベルゲージを示す模式的な図である。
【図２】本発明の一実施形態に係るオイルレベルゲージのゲージ部を示す模式的な図である。
【発明を実施するための形態】
【００１４】
以下、添付図面に基づいて、本発明の一実施形態に係るオイルレベルゲージを説明する。同一の部品には同一の符号を付してあり、それらの名称および機能も同じである。したがって、それらについての詳細な説明は繰返さない。
【００１５】
図１に示すように、オイルレベルゲージ１０は、帯板状に形成されて図示しないオイルパン内のオイルに浸漬されるレベルゲージ部１１と、長尺状の可撓性部材で形成されてレベルゲージ部１１の基端に接続されたロッド部１２と、ロッド部１２の基端に設けられて図示しないガイド管の上側開口部を塞ぐキャップ部１３と、キャップ部１３の上端に設けられた把持部１４とを備えて構成されている。作業者は、把持部１４を持って、オイルレベルゲージ１０をガイド管（不図示）から引き抜き、レベルゲージ部１１に付着したオイルを目視することで、オイルレベルを点検できるようになっている。
【００１６】
次に、図２に基づいて本実施形態のレベルゲージ部１１の詳細について説明する。レベルゲージ部１１には、オイルレベルを点検するための複数の目盛が打刻されている。本実施形態において、オイルレベル点検用の目盛は、冷間時等の低油温時に使用する第１目盛Ｃ及び、暖気時等の高油温時に使用する第２目盛Ｈが打刻されており、オイル温度に応じてこれらの目盛Ｃ／Ｈを使い分けられるようになっている。第１目盛Ｃは、レベルゲージ部１１の第２目盛Ｈよりも先端側（下側）に打刻されている。
【００１７】
レベルゲージ部１１の第１目盛Ｃよりも先端側には、所定の角度（例えば、約９０度）で捩じられた捩じり部１５が設けられている。また、捩じり部１５には、オイル温度の上昇に伴い変色する熱変色塗料１６が塗布されている。この熱変色塗料１６は、好ましくは、オイル温度が暖気状態を示す所定の高温域に達すると、オイルとは異なる他の色（赤色や茶褐色以外の色）に変色するようになっている（図２（Ｂ）参照）。
【００１８】
以上詳述したように、本実施形態では、レベルゲージ部１１に低油温時用の第１目盛Ｃと高油温時用の第２目盛Ｈとが打刻され、さらに、第１目盛Ｃよりも先端側の捩り部１５には、高油温時にオイルとは異なる色に変色する熱変色塗料１６が塗布されている。
【００１９】
すなわち、点検作業者は、レベルゲージ部１１にオイルを付着させた状態で、オイルとは異なる色に変色した熱変色塗料１６を視認することにより、オイル温度が高温或は低温の何れにあるかを容易に識別することができる。これにより、作業者は、レベルゲージ部１１に付着しているオイルを拭き取ることなく、熱変色塗料１６が変色していない場合は低油温用の第１目盛Ｃ、熱変色塗料１６が変色している場合は高油温用の第２目盛Ｈを用いてオイルレベルを確認することが可能になり、温度条件に応じたオイルレベルの点検を容易におこなうことができる。
【００２０】
なお、本発明は、上述の実施形態に限定されるものではなく、本発明の趣旨を逸脱しない範囲で、適宜変形して実施することが可能である。
【００２１】
例えば、熱変色塗料１６は、第１目盛Ｃよりも先端側の捩じり部１５に塗布されるものとして説明したが、レベルゲージ部１１のオイルに浸漬される他の部位に塗布してもよい。この場合も上記実施形態と同様の作用効果を奏することができる。
【符号の説明】
【００２２】
１０  オイルレベルゲージ
１１  レベルゲージ部
１２  ロッド部
１３  キャップ部
１４  把持部
１５  捩じり部
１６  熱変色塗料
【図１】
2017090221.tif 000003
【図２】
2017090221.tif 000004